(57)【要約】【課題】壁面等のない場所でも犯人を取り逃がすことなく確実に取り押さえることができ、かつ犯人を取り押さえる側にとってもより安全に犯人を捕捉することができ、特に凶器を持った犯人から凶器を取り上げて犯人を取り押さえるのに有効なサスマタ形防犯用具を提供することにある。【解決手段】サスマタ形状の柄３の部分に移動可能に設けた収縮操作部材６を手前に引くことにより、柄３の先の二股筒枠体２の内側に輪部９にして配した捕捉線部材４が引かれ、捕捉線部材４の輪部９が収縮して、凶器や犯人の腕や首等を上記の収縮した輪部９で捕捉できるようにした。【選択図】  図１
0003112485.tif 000002
【実用新案登録請求の範囲】
【請求項１】
内周に沿って開口を有する二股筒枠体と、二股筒枠体の外側中間部に先端を固定した筒状の柄と、上記の二股筒枠体の内側に、中間部を屈曲形成してなる輪部を配するとともに、輪部以外の部分を上記の柄の中に収納できる長さの捕捉線部材と、二股筒枠体内の適宜箇所に設けて上記の輪部の一部を係脱可能に係止する複数の弾発係止片と、上記の柄の長手方向に形成した長穴から柄の中に下部を配して上記の捕捉線部材の両端部を上記の下部に係止するとともに、上記輪部の径を収縮または拡大するために上記長穴に沿って往復移動可能にかつ所望位置で柄に固定できるようにした収縮操作部材とからなる構成を特徴とするサスマタ形防犯用具。
【考案の詳細な説明】
【技術分野】
【０００１】
本考案は、不審者や暴漢等を捕捉する時に使用する防犯用具であり、特に凶器を持って襲ってくる暴漢の凶器を取り上げるのに有効なサスマタ形防犯用具に関するものである。
【背景技術】
【０００２】
最近は学校等の公共施設に最初から人に危害を加える目的で侵入してくる不審者や、窃盗を目的に侵入してくる者が増えている。そのため各施設では、防犯対策として通用門等の出入り口に守衛や警備員を配置したり、出入り口の扉を原則的に施錠したりして不審者の侵入を事前に防ぐ手立てを講じている。
【０００３】
また、設備面でも監視カメラを要所、要所に設置したり、警報ベルを施設内の各所に設置したり、或いは施設内に不審者が侵入した場合の制圧道具として、江戸時代の捕り物道具として使用されていたサスマタ（刺股）をヒントに製造販売されている現代風のサスマタを設置したりしている。
【０００４】
上記の現代風のサスマタとは、全体がアルミ材等の軽量金属からなり、先端部を半円形、Ｕ字形に形成した二股杆に、適宜長さの柄を取り付けたものである。
【０００５】
そして公共施設等に不審者が侵入して暴れたり犯行に及んだ場合には、上記のサスマタを使用して暴れたり犯行に及んだ不審者を制圧している。
【０００６】
すなわち、このサスマタによって犯人の動きを止める場合は、複数の者が各人のサスマタの柄を両手でしっかりと握り、二股杆の部分で暴れる犯人を制圧しながら建造物の壁や塀等に箇所に追い込み、犯人の胴、手、首、または足を各人の二股杆で押えつけて壁等に挟みつけ、犯人の動きを制圧して警察官の到着を待つたり、サスマタで押さえつけている間に他の者が加勢して犯人を取り押さえている。
【０００７】
ところが、上記した従来のサスマタでは、建物の壁や塀等がない場所では有効に犯人を押えつけることができず、壁等から離れた場所では暴れる犯人の動きを確実に止めることはできなかった。そのため犯人を取り逃がしたり、逆襲されて危害を加えられてしまうといった懸念が多いにあった。
【０００８】
また、従来のサスマタの場合は、主に二股枠で身体の胴体部分を押え付ける構造のものであるため、ある程度身体の動きを制圧することはできるが、犯人は手(腕)や足を自由に動かすことができるため、足でけったり刃物を振り回すことが可能であった。そのため、犯人を取り押さえようとしている者にとっては、危険で犯人近寄りがたく、犯人を取り押さえるのは容易なことではなかった。
【０００９】
このように従来のサスマタでは、凶器を持って暴れる犯人に対しては効果的な防犯道具となり得ない問題点があった。
【考案の開示】
【考案が解決しようとする課題】
【００１０】
本考案は、上記のような点に鑑みて開発されたものであり、その目的とするところは、壁面等のない場所でも犯人を取り逃がすことなく確実に取り押さえることができ、かつ犯人を取り押さえる側にとってもより安全に犯人を捕捉することができ、特に凶器を持った犯人から凶器を取り上げて犯人を取り押さえるのに有効なサスマタ形防犯用具を提供することにある。
【課題を解決するための手段】
【００１１】
上記の目的を有効に達成する為に本考案のサスマタ形防犯用具は、内周に沿って開口部を有する二股筒枠体と、二股筒枠体の外側中間部に先端を固定した筒状の柄と、上記の二股筒枠体の内側に中間部を屈曲形成してなる輪部を配するとともに輪部以外の部分を上記の柄の中に収納する捕捉線部材と、二股筒枠体の適宜箇所に設けて上記の輪部の一部を係脱可能に係止する複数の弾発係止片と、柄の長手方向に形成した長穴から柄の中に下部を配して上記の捕捉線部材の両端部を上記の下部に係止するとともに、上記の輪部の径を収縮または拡大するために上記の長穴に沿って往復移動可能にかつ所望位置で柄に固定できるようにした収縮操作部材とからなる構成にしてある。
【考案の効果】
【００１２】
上記した本考案のサスマタ形防犯用具では、通常は捕捉線部材の二股筒枠体内に位置する中間部を柄から引き出して二股筒枠体の内側に拡がる輪状にし、この輪部の股筒枠体に沿った箇所を、二股筒枠体の内周に沿って形成してある開口部から内側に入れ、二股筒枠体に設けた複数の弾発係止片で上記の輪部を係止しておく。
【００１３】
そして、不審者が施設等に侵入して暴れたり凶行に及んだ場合に、柄を両手で握り、暴漢の凶器や、凶器を持っている手側の腕に上記の輪部を引っ掛け、柄に設けてある収縮操作部材を長穴に沿って柄の後端側に引く。このことにより輪部は収縮して凶器や、腕等を拘束することができる。
【００１４】
そのため、犯人が凶器を持っている場合は、収縮させた輪部で捕捉した凶器を、柄を持って振り払うことにより犯人から凶器を取り上げることができる。凶器を取り上げてしまえば、危害を加えられる心配も軽減するため、ある程度は安心して犯人を取り押さえることができる。
【００１５】
さらに、犯人に近づくのが怖い場合は、上記のように輪部を収縮させて腕等を拘束した状態で、二股筒枠体で犯人の身体を床等に押し付けて制圧し、警察官の到着を待てば、犯人を取り逃がすこともなく、また反撃に合うのも防ぐことができる。
【００１６】
また、上記のように輪部を収縮させて腕等を拘束して犯人の動きを制圧できるので、従来のサスマタでは確実に犯人を取り押さえるのに必要であった壁等を必要とせず、壁等のない場所でも犯人の動きを制圧して取り押さえることができる。なお、３人位で各人が本考案のサスマタ形防犯用具を持ち、犯人の凶器や身体の所望の部位を捕捉するようにすればより効果的に犯人を取り押さえることができる。
【考案を実施するための最良の形態】
【００１７】
以下、本考案を実施するための最良の形態を図に基いて説明する。
図１〜図６は本考案にかかるサスマタ形防犯用具に関する図であって、図１は本考案にかかるサスマタ形防犯用具の平面図、図２は本考案にかかる二股筒枠体内の捕捉線部材と弾発係止片との係止時の関係を示す拡大横断面の説明図、図３は本考案にかかる二股筒枠体内の捕捉線部材と弾発係止片との係止解除時の関係を示す拡大横断面の説明図、図４は本考案にかかる収縮操作部材の説明図、図５は二股筒枠体と柄との連結箇所を二股筒枠体の内側から柄側を見た説明図、図６は柄を側方から見た説明図である。
【００１８】
図示の本考案にかかるサスマタ形防犯用具１（図１〜図３参照）は、少なくとも二股筒枠体２、柄３、捕捉線部材４、弾発係止片５、収縮操作部材６からなる。
【００１９】
上記の二股筒枠体２は、アルミ材やステンレス材等からなる円筒部材を半円形状に屈曲形成したものであり、内側の長手方向に沿って細長い開口部７が形成してある。また、二股筒枠体２内には、所定間隔をもって複数の弾発係止片５（図２参照）がその一端部８を内面に固着して設けてある。
【００２０】
この弾発係止片５は、後述する捕捉線部材４の輪部９の一部分を係脱可能に一時的に係止するものである。また、後述の柄３の先端部１０（図５参照）の上記二股筒枠体２の開口部７の両縁部１１には、犯人の腕等を捕捉線部材４で捕捉した際に傷つけないようにゴムやスポンジ等のクッション材１２が設けてある。
【００２１】
なお、二股筒枠体２は、半楕円形状、Ｕ字形状、Ｖ字形状、コ字形状等であってもよい。
【００２２】
上記の柄３は、二股筒枠体２と同様に、アルミ材やステンレス材等からなる円筒体であり、二股筒枠体２の外側中間部に先端１３を固定してあり、内部空間１４は二股筒枠体２の内部空間１５と先端１３で通じている。
【００２３】
また、柄３の長手方向の側部の所定箇所には、収縮操作部材６を移動させるための長穴１６（図４、図６参照）が所定長さに形成してある。さらに柄３の先端部１０寄りの外側には、後述の捕捉線部材４の輪部９を柄３側に曲げて脱着自在に係止できる適宜の弾性を有する引掛けレバー１８が設けてある。
【００２４】
なお、柄３の外周の適宜箇所には、犯人を捕捉するときに凶器から顔等を防御するための防御スクリーン（盾）１７を起倒可能なように取り付けるとよい。
【００２５】
上記の捕捉線部材４は、例えば直径が３ｍｍ位の所定長さのワイヤ-であって、中間部を輪状に屈曲して、後述の収縮操作部材６が柄３の先端部１０寄りに位置しているときに（図１の状態のときに）、半円形状の二股筒枠体２の円周と成る位の輪部９を形成し、輪部９以外の両端部２６を二股筒枠体２と柄３の連通部１９から柄３の中に挿入して収縮操作部材６に係止できるようにしたものである。
【００２６】
また、上記連通部１９と対向側の輪部９の中間箇所には、上記したクッション材と同様の作用効果を成すビニールホース等のクッション材２０が設けてある。
【００２７】
なお、捕捉線部材４として有刺鉄線等を使用することも可能である。有刺鉄線の場合は過剰防衛になるので、主に銀行やコンビニ等における強盗に対して威嚇して退散させる場合の本発明のサスマタ形防犯用具に使用するとよい。また、図示省略するが犯人に対する威嚇として、二股筒枠体２の外側（柄２側）の外周および柄２の先端部１０に沿って有刺鉄線を設けてもよい。
【００２８】
上記の収縮操作部材６(図１、図４参照)は、柄３の中に配して移動可能なパイプ２１と、このパイプ２１の後端部２２の外周面に固定して設けたナット２７と、このナット２７に外から柄３の長穴１６から挿入してねじ付けるボルト２３と、このボルト２３と一体で柄３の外から上記パイプ２１を引いたり押したりする握り部材２４とからなる。収縮操作部材６は握り部材２４を回すことによってボルト２３がナット２７内にねじ込まれ、握り部材２４の下端面２８を柄３の外周面２９に圧接して柄３に固定することができる。また、握り部材２４を反対方向に回して緩めることにより、収縮操作部材６を長穴１６に沿って柄３の長手方向の所望箇所に移動させることができる。上記のパイプ２１の先端部２５には捕捉線部材４の両端部２６が係止してある。また、柄３の中に配される収縮操作部材６の下部は、上記のパイプ２１と、ナット２７と、ボルト２３によって図示の例では構成されている。パイプ２１は所定長さの軸部材であってもよい。
【００２９】
上述のような構成からなる本考案のサスマタ形防犯用具１は、施設等に侵入した不審者が暴れたり、暴漢に襲われたりした際に、先ず柄３を握り収縮操作部材６の握り部材２４を少し手前に引く。このことによりワイヤー引掛けレバー１８は輪部９の引っ張りによって柄３の先端部１０側に曲がり（倒れ）、素早くワイヤー引掛けレバー１８に係止してある輪部９（図１に２点鎖線で示す。）をレバー１８から外すことができる。このレバー１８から外れた輪部９は、弾性力により二股筒枠体２の内側に輪状に展開する。なお、ワイヤー引掛けレバー１８から外す際に柄３の先端部１０側に曲がった上記のワイヤー引掛けレバー１８は、輪部９が外れた後は弾性力により元の状態に戻り、柄３の外面から突出した状態になる。
【００３０】
このような状態にサスマタ形防犯用具１をした後に柄３を強く握って犯人に立ち向かい、暴れる犯人の持っている刃物や金属バットやゴルフクラブ等の凶器、或いは犯人の腕や首等に輪部９を引掛けて握り部材２４を柄３の後端側に引く。このことにより輪部９は柄３の先端部１０側に径を収縮させて犯人の凶器または腕等を捕捉し、握り部材２４を柄3側に締め付けて輪部９が拡大しないように収縮操作部材６を柄３のその位置で固定する。そして暴れる犯人から凶器を取り上げたり、犯人の動きを制圧し、警察官等の到着を待つようにすれば、安全にかつ確実に犯人を捕捉することができる。
【００３１】
上記のようにしてサスマタ形防犯用具１を使用して犯人を捕捉し、警察官に犯人を引き渡した後は、再び上記のサスマタ形防犯用具１を使用できるように、握り部材２４を緩めて収縮操作部材６を長穴１６の先端部１０側に移動させ、径の収縮した輪部９の径を拡大させる。そして輪部９のクッション材２０側を柄3側に引いてワイヤー引掛けレバー１８に引掛けて再び所定の設置場所に保管しておけばよい。
【００３２】
なお、本考案のサスマタ形防犯用具１によれば犯人を傷つけることもなく、女性でも少しの訓練で簡単に使用することができるようになる。また、本考案のサスマタ形防犯用具は、上記した目的を有効に達成できるならば、各部の寸法、形状、材質、構造等を図示の例に限定されることなく自由に設計変更してもよい。
【図面の簡単な説明】
【００３３】
【図１】本考案にかかるサスマタ形防犯用具の平面図である。
【図２】本考案にかかる二股筒枠体内の捕捉線部材と弾発係止片との係止関係を示す拡大横断面の説明図である。
【図３】本考案にかかる二股筒枠体内の捕捉線部材と弾発係止片との係止関係を示す拡大横断面の説明図である。
【図４】本考案にかかる収縮操作部材の説明図である。
【図５】本考案にかかる二股筒枠体と柄との連結箇所を内側から見た説明図である。
【図６】本考案にかかる柄を側方から見た説明図である。
【符号の説明】
【００３４】
１    サスマタ形防犯用具
２    二股筒枠体
３    柄
４    捕捉線部材
５    弾発係止片
６    収縮操作部材
７    開口部
９    輪部
１６  長穴
２６  捕捉線部材の両端部
【図１】
0003112485.tif 000003
【図２】
0003112485.tif 000004
【図３】
0003112485.tif 000005
【図４】
0003112485.tif 000006
【図５】
0003112485.tif 000007
【図６】
0003112485.tif 000008